Podtech/llm-jp-corpus-v4-ja_patent huggingface dataset:
(57)【要約】      （修正有）【課題】従来の販売用に展示する自動車タイヤの形状保持スペーサーが１本のみを対象とする事による作業効率の悪さ等の制約を解除し、２本同時に一括して形状保持及び取り扱い管理ができるスペーサーを提供する。【解決手段】自動車タイヤの最大幅の２倍を超えない長さの芯材の同じ片側に、芯材の長さの中心から、自動車タイヤの最大幅の１／２の長さの位置を中心とし自動車タイヤのビード内側幅の長さを持つ自動車タイヤビード部内側に嵌め込まれる形状のスペーサー部材を２本接合した。【選択図】図２
0003183142.tif 000002
【実用新案登録請求の範囲】
【請求項１】
販売用に展示する自動車タイヤの形状保持を２本同時に一括して行う事ができるスペーサーである。
【考案の詳細な説明】
【技術分野】
【０００１】  本考案は、展示する自動車タイヤの形状保持の仕方に関するものである。
【背景技術】
【０００２】  展示する自動車タイヤの形状保持は１本を対象とするスペーサーで行われていた。
【考案の概要】
【考案が解決しようとする課題】
【０００３】  販売用に展示する自動車タイヤの形状保持は１本ずつにタイヤ内側ビード部にスペーサーを数か所噛ませる事により実現できる。しかしそれでは取り扱い管理上の効率化を同時に実現する事はできない。それをタイヤ２本を同時に形状保持するスペーサーを使用する事により問題点を解決している。
【課題を解決するための手段】
【０００４】  販売用に展示する自動車タイヤの形状保持を２本同時に一括しておこなう。
【考案の効果】
【０００５】  展示用自動車タイヤの取り扱い管理上下記の効率化が実現できる。
１．      販売用に展示する自動車タイヤは専用ラックに縦置きすれば形状保持ができるためスペーサーの必要はない。しかし通常は自動車１台分、タイヤ４本を横積みするため形状保持を目的としたスペーサーが必要な場合が生じる。本考案では、タイヤ２本を同時に形状保持するため、１本ずつの展示作業、例えばデザイン、ラベルの位置合わせなどを２本同時単位で行え、作業の効率化が図れる。
２．      １本ずつの展示では台風、強風、地震などの災害で荷崩れを起し易いが、本考案では２本を繋いでいるため荷崩れを防止し易い。
３．      また、１本では荷崩れした際に転がる可能性が残るが、２本単位では転がり難く災害時に転がり出す可能性が低い。
４．      タイヤは１本ずつ履歴管理が必要だが、２本同時に管理可能なので各種確認作業を省略または短縮できる。自動車タイヤは近年左右２本単位で同時交換する場合が増えており、管理工数の削減ができる。
５．      販売展示用タイヤは日光、外気などに触れる機会が少ないほど汚れ、ほこりなどに影響されにくい。１本ずつの展示、管理に比べ２本同時管理はこれらの悪影響を減衰する。
６．      本考案は１本ずつの従来のスペーサーに比べ軽量で強度があり、タイヤサイズによっては複数回の繰り返し使用が可能で省資源にも寄与する。
７．      上記全体を通して販売展示用自動車タイヤの形状保持、取り扱い管理にお客様からの営業品質に対する信頼感を得られる可能性がある。
【図面の簡単な説明】
【０００６】
【図１】本考案の正面図、背面図、側面図、平面図、底面図である。
【図２】図１を２本の自動車タイヤに装着した際の断面からの見取り図である。
【図３】段ボール材料からの切り出し形状の見取り図である。
【考案を実施するための形態】
【０００７】  対称とする自動車タイヤの形状保持を図る寸法を図３の通りダンボールから切り出し、正三角形に組み立てる。またこれを図１の通り組み立てる事により図２の様に使用するスペーサーを実現できる。
【実施例】
【０００８】  本考案で販売用に展示する自動車タイヤの２本同時、一括形状保持、取り扱い管理が可能となる。
【符号の説明】
【０００９】  １  タイヤビード部内側へ嵌め込むスペーサー部品
２  タイヤ形状保持を可能にする寸法のスペーサー部品
【図１】
0003183142.tif 000003
【図２】
0003183142.tif 000004
【図３】
0003183142.tif 000005
【手続補正書】
【提出日】平成25年2月8日(2013.2.8)
【手続補正１】
【補正対象書類名】実用新案登録請求の範囲
【補正対象項目名】全文
【補正方法】変更
【補正の内容】
【実用新案登録請求の範囲】
【請求項１】
自動車タイヤの最大幅の２倍を超えない長さの芯材の同じ片側に、芯材の長さの中心から、自動車タイヤの最大幅の１／２の長さの位置を中心とし自動車タイヤのビード内側幅の長さを持つ自動車タイヤビード部内側に嵌め込まれる形状のスペーサー部材を２本接合した、販売用に展示する自動車タイヤの形状保持を２本同時に一括して行うスペーサー
(57)【要約】      （修正有）【課題】ヘヤーブラシのブラシとブラシの間に挟まった人毛またはペットの毛をブラシの底に取り付けたシートなどの器具を外すことにより、一度に簡単に処理することが出来る器具を提供する。【解決手段】化学製品又は紙等で出来た器具ｃをヘヤーブラシの底へ取り付け、人毛やペットの毛を解かした時にブラシｂとブラシｂの間に挟まった毛を、底へ取り付けた器具を取り外すことで一緒に取り除くようにする。【選択図】図１
0003183147.tif 000002
【実用新案登録請求の範囲】
【請求項１】
ヘアーブラシの各ブラシ部分の根本部の直径と同等の直径およびブラシ部の数と同等の数並びに各ブラシ部と同等間隔の穴を開け、ブラシの根元部分に装着することができる器具。
【考案の詳細な説明】
【技術分野】
【０００１】  本考案は、ヘアーブラシに絡み付いた毛髪またはペットの毛を脱着式の器具により簡単に除去し処理することが出来る器具に関するものである。
【背景技術】
【０００２】  ブラシの間に絡み付いた抜け毛をごく簡単に除去して廃棄する技術は過去になく、本考案は全く新しい技術である。
【考案の開示】
【考案が解決しようとする課題】
【０００３】  ヘアーブラシの間に絡み付いた毛は、除去するのに一度にサッと除去できるものではなく、手間がかかり、衛生的にも不衛生である。
本考案は、ヘアーブラシのブラシ部分の根本部にブラシの本数と同数の穴を開けた板状の脱着式または一度きりの使い捨ての器具を装着し、同器具をブラシから外すことにより、ブラシの間に絡み付いた毛を同時に一度に除去するもので、絡み付いた毛を一度に除去できるという点で、ヘアーブラシに絡み付いた毛髪等を簡単に衛生的に手間をかけずに取り除くための器具である。
【考案の効果】
【０００４】  ヘアーブラシにまとわりついた毛髪やペットの毛を本器具を使用することで、簡単に衛生的に手間をかけずに取り除くことができる。
【図面の簡単な説明】
【０００５】
【図１】  本考案の正面図（上面図）である。
【図２】  本考案の側面図である
【考案を実施するための形態】
【０００６】  ヘアーブラシのブラシの数およびブラシの太さ、各ブラシ間と同等間隔の穴を開けた脱着式の板または使い捨ての紙をブラシに通してブラシの底の根元部分に固定し、毛髪等をとかしたときに絡み付つく抜け毛等を、脱着式の板を外すことでブラシに絡み付いた抜け毛を一度に除去するもの。
【符号の説明】
【０００７】  ａ  ブラシ本体
ｂ  ブラシ
ｃ  ブラシ底へ取り付ける器具
ｄ  ブラシの柄
【図１】
0003183147.tif 000003
【手続補正書】
【提出日】平成25年3月4日(2013.3.4)
【手続補正１】
【補正対象書類名】図面
【補正対象項目名】全図
【補正方法】変更
【補正の内容】
【図１】
0003183147.tif 000004
【図２】
0003183147.tif 000005
(57)【要約】      （修正有）【課題】審美性に特化した着脱式の歯列包囲装置を提供する。【解決手段】本考案は、０．１ミリ〜５ミリの厚さを有した歯科材料で各個人の臨床印象模型を基に歯を白く見せる審美的な要素を有した天然歯列に模した着脱可能な歯列包囲装置（マウスピース）を可能にすることを特徴とする。【選択図】図３
0003183163.tif 000002
【実用新案登録請求の範囲】
【請求項１】
０．１ミリ〜５ミリの厚さを有した歯科材料で各個人の臨床印象模型を基に歯を白く見せる審美的な要素を有した天然歯列に模した着脱可能な歯列包囲装置
【考案の詳細な説明】
【技術分野】
【０００１】本考案は、歯牙歯列の歯を白く見せる審美的着脱可能な歯列包囲装置に関するものである。
【背景技術】
【０００２】スポーツ時に装着する歯牙保護のための歯列保護包囲装置（マウスピース）があった。
【考案の概要】
【考案が解決しようとする課題】
【０００３】従来、スポーツ時に装着する歯牙保護のための歯列保護包囲装置（マウスピース）があったが、歯を白く見せる審美性に特化した着脱式の歯列包囲装置がないことを課題とした。
【課題を解決するための手段】
【０００４】本考案は、０．１ミリ〜５ミリの厚さを有した歯科材料で各個人の臨床印象模型を基に歯を白く見せる審美的な要素を有した天然歯列に模した着脱可能な歯列包囲装置（マウスピース）を可能にした。
【考案の効果】
【０００５】従来、スポーツ時に装着する歯牙保護のための歯列保護包囲装置（マウスピース）があったが、審美性に天然歯列とは外観が異なることを課題としたが、本考案は、スポーツ時に装着する歯牙保護のための歯列保護包囲装置（マウスピース）があったが、歯を白く見せる審美性を有した着脱式の歯列包囲装置
を可能にした。
【考案の実施するための形態】
以下、本考案の実施の形態について説明する。
（イ）、１．着脱可能な歯列包囲装置
【図面の簡単な説明】
【図１】本考案の正面図である。
【図２】本考案の平面図である。
【図３】本考案の斜面図である。
【符号の説明】天然歯に模した歯列保護包囲装置
【図１】
0003183163.tif 000003
【図２】
0003183163.tif 000004
【図３】
0003183163.tif 000005
(57)【要約】      （修正有）【課題】シャーシの中心部に駆動用モーターを有するラジコンドリフト車において、サスペンションを含む困難な調整なしに、理想的ドリフトラインを走れるようにした回転抑制構造を提供する。【解決手段】スパーギア３に同程度の直径を有する重さ５〜５０ｇ程度の重り７を取り付けることによって、モーター付近を軸とした回転を抑制することが可能になり、コーナー進入時の高回転になったスパーギア３によって重り７がジャイロ効果を発揮することによって回転を抑制することが可能になった。【選択図】図３
0003183165.tif 000002
【実用新案登録請求の範囲】
【請求項１】
駆動用のモーターをシャーシ中心付近に有するラジコンドリフト車において、直径１５〜５０ｍｍ、重量は５〜５０ｇ程度の重りをスパーギアに取り付けることを特長とするラジコンドリフト車。
【考案の詳細な説明】
【技術分野】
【０００１】  本考案はラジコンドリフト車用回転抑制構造に関する。
【背景技術】
【０００２】  従来のラジコンドリフト駆動部の構造を図１に示す。図１の１に示すモーターに取り付けられたピニオンギアを介して図１の２に示すスパーギアを回転させ、その駆動力をベルトによって前後の駆動輪に伝えている。ラジコンドリフトのドリフトは実車に近いドリフト走行をすることを目的としているため、図１に示す駆動構造の配置ではモーター付近にラジコンドリフト車の重心があるため、この状態でドリフト走行をすると図２に示すように重心を中心とした回転が加わってしまい、コーナーの進入時には実車と異なるラジコンドリフト車の後部から進入してしまっていた。このため、ラジコンドリフト操縦者はダンパー、タイヤ、サスペンションの設定をコース状態に合わせて走行を繰り返しながら調整することが必要であった。
【考案の概要】
【考案が解決しようとする課題】
【０００３】  しかしながら上記サスペンションを含む調整はラジコンドリフトの構造に精通したエキスパートクラスの操縦者しかできず、ラジコンドリフト初心者には困難であった。本考案はラジコンドリフト初心者でも困難な調整を必要とせず、且つ理想的なドリフトラインを走れることを可能にする回転抑制構造を提供することにある。
【課題を解決するための手段】
【０００４】本考案は図３に示すようにスパーギアの直径に近い寸法でアルミ、ステンレス、鉄等の比重の大きい材料で作成した重量５〜５０ｇ程度の円形の重りをスパーギアに取り付ける構造物である。ドリフト進入時にスパーギアが回転することによって前記重りが高回転になり、ジャイロ効果を発揮することによって、モーター付近を軸とした回転を抑制する効果がある。
【考案の効果】
【０００５】本考案の適用されたラジコンドリフト車でドリフト走行をすることによって、ドリフト進入時にモーター付近を軸とした回転が抑制され、実車と同様にカウンターステアを切った車体前方からドリフトコーナーに心封することが可能となる。さらに、直線走行時のドリフト走行においても重りのジャイロ効果によって、シャーシの過大な回転を抑制することが可能になり、直線走行時のドリフト安定性が増加する効果が期待できる。
【図面の簡単な説明】
【０００６】
【図１】従来のラジコンドリフト車の駆動部の構造である。
【図２】従来のラジコンドリフト車のドリフトコーナーの進入ラインである。
【図３】従来方法によるラジコンドリフト車のスパーギア部分とこの考案のスパーギア部分の構造の比較図である。
【考案を実施するための形態】
【０００７】本考案の一実施形態を図４に示す。図４は従来のラジコンドリフト車の駆動部と本考案のジャイロ効果を持たせた重りを取り付けたラジコンドリフト車の駆動部の構造の比較図である。本考案ではジャイロ効果を発揮させる重りはスパーギアとほぼ同一の直径としているが、スパーギアの回転数やジャイロ効果の発揮の度合いを調整するため、重りの直径、重量は任意に選択することが可能である。
【０００８】「実施形態の効果」
本実施形態によって、ラジコンドリフト走行時におけるシャーシ後部からのコーナー進入を抑えることが可能となり、さらに直線ドリフト時の安定性も増加する。
【符号の説明】
【０００９】１    モーター
２    ピニオンギア
３    スパーギア
４    ベルト
５    前輪
６    後輪
７    重り
８    従来のラジコンドリフト車のコーナー進入ライン
９    この考案のラジコンドリフト車コーナー進入ライン
【図１】
0003183165.tif 000003
【図２】
0003183165.tif 000004
【図３】
0003183165.tif 000005
(57)【要約】【課題】  片手で容易に洗濯物干し、取り込みができる開閉保持自在の洗濯バサミ及び物干し具を堤供する。【解決手段】  竿ピンチにおいてＣ形スプリング（７）の先端部がハサミ部（３）の開閉に対応してスライドすることを特徴とする。ハサミ部（３）が閉じているときはＣ形スプリング（７）の両先端部はヒンジ部（６）よりもハサミ部（３）寄りに位置し、握り部（４）を閉じる方向に操作することによりハサミ部（３）が開くに従って、Ｃ形スプリング（７）の先端部はスライドしヒンジ部（６）よりも握り部握り部（４）寄りに位置しハサミ部（３）は開いた状態で保持され、片手で洗濯物を両方のハサミ部（３）の間に挿入し、片手で容易にハサミ部（３）を閉じて洗濯物を干すことができるようになった。【選択図】図１
0003183162.tif 000002
【実用新案登録請求の範囲】
【請求項１】
洗濯物干し用竿ピンチにおいてハサミ材（２）の外側にＣ形スプリング（７）先端部がスライドするためのガイドとなる溝部（５）を設け、ハサミ部（３）が閉じているときは、Ｃ形スプリングの両先端部がヒンジ部（６）よりもハサミ部（３）側に位置し、にぎり部（４）を閉じる方向に操作することによりハサミ部（３）が開くに従いＣ形スプリング先端部がスライドしヒンジ部（６）よりも握り部（４）側に位置したときにハサミ部（３）が開いたままの状態を保持できることを特徴とする開閉保持自在の洗濯バサミ（１）。
【請求項２】
Ｃ形スプリング（７）の両先端部が折れ曲がったＣ形スプリング（７）を有することを特徴とする請求項１の開閉保持自在の洗濯バサミ（１）。
【請求項３】
請求項１又は請求項２からなる開閉保持自在の洗濯バサミ（１）を吊下げ具（９）を介して吊下げることを特徴とする物干し具。
【考案の詳細な説明】
【技術分野】
【０００１】  本考案は、ケガその他で片手に障害があって片手しか使えない人が片手で容易に洗濯物干し、取り込みができる洗濯バサミに関する。
【背景技術】
【０００２】  従来の洗濯バサミは片手でにぎり部を握ることでハサミ部を開き、もう一方の手で洗濯物をつまみ開いたハサミ部の間に挿入して、洗濯物を洗濯バサミに固定するものであって、両手で洗濯物を干すのが一般的であった（例えば特許文献１）。【０００３】  片手で洗濯物干しができるものとして、磁石を利用したもの（例えば特許文献２）や、Ｈ形洗濯バサミ（例えば特許文献３）があった。
【先行技術文献】
【０００４】
【特許文献１】特開２００５−７０１２
【特許文献２】特開２００１−１４９６９４
【特許文献３】特開２００８−６２５０
【考案の概要】
【考案が解決しようとする課題】
【０００５】  しかしながら、磁石を利用した洗濯バサミでは、開いたハサミ部に洗濯物をつまんで片手で挿入はできるが、その状態でハサミ部を閉じる操作に難点があった。
また、Ｈ形洗濯バサミでは、構造が複雑であった。【０００６】  本考案はこのような欠点を改良すべくなされたものであって、指でつまんだ洗濯物を開放保持されたハサミ部に挿入し、他の指でハサミ部を閉じることを可能にすることによって、片手で容易に洗濯物干しが可能な開閉保持自在の洗濯バサミを提供することを目的とする。
取り込む場合は、握り部を握るとハサミ部が開き洗濯物は洗濯バサミから外れ、片手で容易に取り込みが可能である。
【課題を解決するための手段】
【０００７】  普通の洗濯バサミでは洗濯物を挟み込むためのＣ形スプリングの先端部がヒンジ部よりもハサミ部側の位置で固定されているところ、本考案の開閉保持自在の洗濯バサミ（１）はハサミ部（３）の開閉に応じてＣ形スプリング（７）の先端がスライドし、ヒンジ部（６）を越えて移動できることを特徴とする。【０００８】    洗濯もの干し用竿ピンチにおいて、ハサミ部（３）が閉じているときはＣ形スプリング（７）の両先端部はヒンジ部（６）よりもハサミ部（３）寄りに位置し、握り部（４）を握ることによりハサミ部（３）が開くに従って、Ｃ形スプリング（７）の両先端部がスライドしヒンジ部（６）よりも握り部（４）寄りに位置すると、Ｃ形スプリング（７）のスプリング力が握り部を閉じる力として作用し、ハサミ部（３）が開いた状態で保持されることを特徴とする。【０００９】  図１は本考案の開閉保持自在の洗濯バサミ（１）のハサミ部（３）が閉じた状態を示し、図２はハサミ部（３）が開いた状態を示したものである。図３はハサミ材（２）の側面図を示したものである。【００１０】  本考案の開閉保持自在の洗濯バサミ（１）においては、Ｃ形スプリング（７）をスムーズにスライドさせるためにＣ形スプリング（７）の先端は丸めてある。また、先端を折り曲げることによりＣ形スプリング（７）の動きをスムーズにすることもできる。請求項２は図１に示すようにＣ形スプリング（７）の先端を外側に向けて折り曲げたもの、又は、Ｃ形スプリング（７）の先端を内側に向けて折り曲げたものである。【００１１】  本考案による開閉保持自在の洗濯バサミ（１）を使えば、以下のように、片手で洗濯物を干すことができる。
本考案による開閉保持自在の洗濯バサミ（１）において、ハサミ部（３）を開いた状態で、人差し指と親指とでつまんだ洗濯物を開放保持されたハサミ部（３）に挿入し、他の指例えば中指でハサミ部を閉じる操作が可能となり、片手で容易に洗濯物干しができる。【００１２】  図４は開放保持されたハサミ部（３）に人差し指と親指とでつまんだ洗濯物を挿入した状態を示したものである。【００１３】  取り込む場合は、従来の洗濯バサミと同様握り部（４）を握るとハサミ部（３）が開き洗濯物は洗濯バサミから外れるため片手で取り込みが可能であるが、本考案による開閉保持自在の洗濯バサミ（１）用いれば次のように片手で洗濯物の取り込みが可能である。【００１４】  洗濯バサミ吊下げ具（９）に吊り下げられた本考案による開閉保持自在の洗濯バサミ（１）に保持されている洗濯物を片手で下に引くと、Ｃ形スプリング（７）は洗濯バサミ吊下げ具（９）により上に引っ張られ、Ｃ形スプリング（７）の先端は握り部（４）寄りにスライドし、ハサミ部（３）の挟む力が弱まり、さらに洗濯物を下に引けばついには、洗濯物は洗濯バサミから外れ、洗濯物を片手で容易に取り込むことができる。【００１５】請求項３は、吊下げ具（９）を介して、請求項１又は請求項２の開閉保持自在の洗濯バサミ（１）を吊下げた物干し具である。
【考案の効果】
【００１６】  洗濯物干し用竿ピンチにおいて、ハサミ部（３）の開閉の度合いに応じてＣ形スプリング（７）の先端が移動することを特徴とする本考案の開閉保持自在の洗濯バサミ（１）により、片手で容易に洗濯物干し、取り込みができるようになった。
【図面の簡単な説明】
【００１７】
【図１】開閉保持自在の洗濯バサミ正面図
【図２】開閉保持自在の洗濯バサミにおいてハサミ部が開いた状態
【図３】開閉保持自在の洗濯バサミのハサミ材の側面図
【図４】開閉保持自在の洗濯バサミに洗濯物をはさむ方法
【符号の説明】
【００１８】１  開閉保持自在の洗濯バサミ
２  ハサミ材
３  ハサミ部
４  握り部
５  溝部
６  ヒンジ部
７  Ｃ形スプリング
８  Ｃ形スプリング通し穴
９  洗濯バサミ吊り下げ具
【図１】
0003183162.tif 000003
【図２】
0003183162.tif 000004
【図３】
0003183162.tif 000005
【図４】
0003183162.tif 000006
(57)【要約】      （修正有） 【課題】表面シートと背面シートに互いに干渉されない印刷面を有するクリアファイルを提供する。【解決手段】表面シート１と背面シート２にて構成するクリアファイル３の中間に不透明な中間シート４を挟入して、表面シート１と背面シート２に互いに干渉されない印刷面を形成し得るようにし、また中間シート４の表裏に同一または異なる彩色をして、表面シート１および背面シート２に中間シート４の彩色を背景色として透視させ、さらには中間シート４に透視窓を設けて表面シート１および背面シート２に互いの印刷面の一部を透視させるように構成して課題を達成する。【選択図】図１
0003183119.tif 000002
【実用新案登録請求の範囲】
【請求項１】
表面シートと背面シートにて構成するクリアファイルの中間に不透明な中間シートを挟入して、表面シートと背面シートに互いに干渉されない印刷面を形成し得るようにしたことを特徴とするクリアファイル。
【請求項２】
中間シートの表裏に同一または異なる色彩を彩色して、表面シートおよび背面シートに中間シートの色彩を背景色として透視させる請求項１に記載のクリアファイル。
【請求項３】
中間シートに透視窓を設けて表面シートおよび背面シートに互いの印刷面の一部を透視させる請求項１または２に記載のクリアファイル。
【考案の詳細な説明】
【技術分野】
【０００１】
この考案はクリアファイル、詳しくは表面シートと背面シートに互いに干渉されない印刷面を形成したクリアファイルに関するものある。
【背景技術】
【０００２】
この種のクリアファイルとしては、登録実用新案第３１４６２１８号公報がある。該公報はクリアファイルの表面シートに主印刷面、背面シートに副印刷面を設けてクリアファイルに書類等を挟み入れると表面から見て副印刷面が隠れ、書類等を抜き出すと副印刷面が透視されるクリアファイルを記載している。
【特許文献１】登録実用新案第３１４６２１８号公報
【考案の開示】
【考案が解決しようとする課題】
【０００３】
しかしながら、上記公報は書類等をクリアファイルから抜き出すと背面シートの印刷面が表面シートに透視されて印刷面が二重等に見えて混同して見にくくなることから互いの印刷面、特に背面シートの印刷面は小さくするなどの制約を受けることになるという課題があり、表、背面シートに互いに干渉されない別々の印刷面を大小差なしに形成することができないという課題があった。
【課題を解決するための手段】
【０００４】
本考案は、クリアファイルに透視を不能とする不透明な中間シートを挟入することにより、表面シートと背面シートにそれぞれに互いに干渉されない別々で大小差のない印刷面を形成し得るようにして、かかる課題を解決するようにしたのである。
【考案の効果】
【０００５】
本考案のクリアファイルは中間に不透明な中間シートを挟入することで表，背面シートに互いに干渉されない別々で大小差のない印刷面を形成し得てクリアファイルの携帯者にさらに多くの情報を提供することができるという効果を生ずる。
【０００６】
中間シートの表裏に同一または異なる色彩を附すことで表，背面シートの印刷面に背景色が加わることでクリアファイルを一段と美化することができるという効果を生ずる。
【０００７】
中間シートに透視窓を設けることで、表，背面シートの印刷面に他面の印刷面を透視窓を通して提供することができるという効果を生ずる。
【図面の簡単な説明】
【０００８】
【図１】第１実施例で、クリアファイルの形成前の展開状態と形成例を示す斜視図
【図２】第２実施例で、クリアファイルの形成前の展開状態と形成後の表，背面を示す斜視図
【図３】同、中間シートの表面と裏面に異なる色彩を彩色した例を示す斜視図
【図４】第３実施例で、クリアファイルの形成前の展開状態と形成例を示す斜視図
【考案を実施するための形態】
【０００９】
本考案は、クリアファイルを構成する表面シートと背面シートの間に不透明な中間シートまたは表と背面に同一または異なる色彩を附した不透明な中間シート、さらには中間の適所に透視窓を設けた不透明な中間シートのいずれかを挟入し固定して、クリアファイルの表，背面シートに互いに干渉されない別々で大小差のない印刷面を形成し得るようにする。
【実施例１】
【００１０】
図１は本考案の第１実施例であって、硬直且つ弾撥するポリプロピレン等の透明なシート材にて表面シート１と背面シート２とからなるクリアファイル３を形成し、その中間に乳白色等をした不透明な中間シート４を挟入し、基側の下角５を挟む基側の垂直縁６と下縁７の部分をウェルダー溶着８して挟み固定し、外側の垂直縁９と上縁１０のすべてを開放して書類等を出し入れすることができるようにする。
【００１１】
このようにして形成したクリアファイル３は中間シート４の挟入により表面シート１と背面シート２が互いに透視不能に遮断されることで、表面シート１と背面シート２に互いに干渉されない別々の印刷面ｉを大小差なしにて形成し得ることとなる。
【実施例２】
【００１２】
図２乃至図３は本考案の第２実施例であって、中間シート４の表面と裏面に同一色Ｃ１または異なる色彩Ｃ１，Ｃ２を彩色して、表，背面シート１，２のそれぞれに同一または異なる色彩Ｃ１，Ｃ２を背景色として透視されるようにする。その他の構成と作用は第１実施例と同じである。
【実施例３】
【００１３】
図４は第３実施例であって、中間シート４の一部に透明な透視窓Тを形成して背面シート２の印刷面の一部、すなわち透視窓Т内の印刷面ｉ２を表面シート１上に透視されるようにして表面シート１の印刷面ｉに例えば背面シート２の図柄，文字等の印刷面ｉ２を透視させるようにする。
背面シート２に表面シートの印刷面ｉ２を透視窓Тを通して透視させることもある。
【産業上の利用可能性】
【００１４】
本考案のクリアファイルは表，背面シートの中間に不透明な中間シートを挟入して表，背面シートのそれぞれに互いに干渉されない別々の印刷面を大小差なしにて形成することで多くの情報を提供するクリアファイルとして広く使用されるものとなる。
【符号の説明】
【００１５】
１は表面シート
２は背面シート
３はクリアファイル
４は中間シート
５は下角
６は垂直縁
７は下縁
８はウェルダー溶着
９は外側の垂直縁
１０は上縁
Тは透視窓
ｉ，ｉ２は印刷面
【図１】
0003183119.tif 000003
【図２】
0003183119.tif 000004
【図３】
0003183119.tif 000005
【図４】
0003183119.tif 000006
(57)【要約】      （修正有）【課題】車のシートや椅子、ソファー等に敷いて使用することで、特に夏期の臀部や太股の不快なベタつきを解消し爽やかな座り心地で、しかも車内や室内の不快な臭いも消臭する顆粒備長炭入りシートクッションを提供する。【解決手段】細長い袋状の部屋に仕切られた空間に顆粒備長炭を詰めた顆粒備長炭入りシート１の上下をハニカム構造シート５で挟み、周囲を縫い合わせる等して固定し、３枚のシートを１枚のシートにする。ハニカム構造シートは、通気性が良く、クッション性があり、ヘタリにくく、含気率が高く、備長炭の特性である調湿、消臭効果を最も発揮させ易い構造であるから、本考案は、臀部や太股の不快なベタつきを解消し爽やかな座り心地で、しかも不快な臭いの消臭も可能となる。【選択図】図１
0003183153.tif 000002
【実用新案登録請求の範囲】
【請求項１】
顆粒備長炭入りシートの上下をハニカム構造をしたシートで挟み、周囲を縫い合わせる等して固定し３枚のシートを１枚のシートにした、顆粒備長炭入りシートを布設したシートクッション。
【請求項２】
顆粒備長炭入りシートの上下をハニカム構造をしたシートで挟み、更にハニカム構造をしたシートの上下両面、もしくは上又は下の片面に布を布設し周囲を縫い合せる等して固定し１枚のシートにした、顆粒備長炭入りシートを布設したシートクッション。
【請求項３】
クッションの詰め物として、クッションカバーやクッションの側に〔請求項１〕や〔請求項２〕のシートクッションを詰めた、顆粒備長炭入りシートを布設したシートクッション。
【考案の詳細な説明】
【技術分野】
【０００１】  本考案は、顆粒状にした備長炭を詰めた顆粒備長炭入りシートを布設したシートクッションに関するものである。
【背景技術】
【０００２】  夏に車を運転したり部屋でソファーに座っていると、クーラーをかけていても臀部（尻）や太股が汗でベタつき時にはズボン等被服に汗染みがつく事がある。地球の温暖化による猛暑が続く最近の夏期は、特にこうした不快な状況が、手入れが簡単な人工皮革やビニールの座面の椅子を多く用いる外食産業や、高級牛革張のソファーをロビーに置くホテル等でも起こる事がよく有り、不快なだけでなく汗染みにより体裁も悪くなる事態もおこり、是非解消したい課題である。
【考案の開示】
【考案が解決しようとする課題】
【０００３】  日本では古くから湿気を一定に保ち、木材の腐敗を防ぐ目的で木造建造物の土台部分に炭を敷いていた。また、活性炭で知られる様に炭の臭いをとる効力は周知の事実である。この日本人が古くから身近に使ってきた炭、とりわけ優れた効力を持った備長炭を使い、前述の問題点を解決し、夏期に車に乗ったり、食堂やレストラン等の椅子やホテルのソファーに等に座っても臀部や太股がベタつかず、爽やかで、しかも車内や部屋の空間の不快な臭いの消臭にも役立ち夏の不快さの一つを解消しようとするものである。
【課題を解決するための手段】
【０００４】  本考案は、通気性が良く、クッション性があり、ヘタリにくく、含気率が高く、備長炭の特性を最も発揮させ易いと考えられるハニカム構造をしたシート素材で、顆粒状にされた備長炭が詰まった顆粒備長炭入りシートの上下を挟み、周囲を縫い合わせる等して固定し１枚のシートクッションを作成するものである。
【考案の効果】
【０００５】  上述の様に、本考案の顆粒備長炭入りシートが布設されたシートクッションを使用すると、炭の調湿効果で、汗で湿った臀部や太股から不快な湿気が除去され、ベタツキ感もなく、爽やかな座り心地が期待できるのみならず、炭の優れた消臭効力で車内や室内の不快な臭いが消臭される効果も期待できる。
【考案を実施するための最良の形態】
【０００６】  ２枚の布を合わせ、幾つかの袋状の部屋が出来る様に縫い合わされたシートを作る。各々の袋状の部屋に顆粒備長炭を入れ、入れ口を閉じて顆粒備長炭入りシートを作る。通気性が良く、クッション性があり、ヘタリにくく、含気率が高く、備長炭の特性を最も発揮させ易いと考えられるハニカム構造をしたシート素材でこの顆粒備長炭入りシートの上下を挟み周囲を縫い合わせる等して固定し、上からハニカム構造シート、顆粒備長炭入りシート、ハニカム構造シートの三層になった１枚のシートクッションを作成する。
【実施例】
【０００７】  以下、添付図面に従って一実施例を説明する。１は顆粒備長炭入りシートである。このシートは２枚の布２−１、２−２を合わせ、一辺が縫い合わされてない細長い袋状の部屋３−１，３−２、３−３、３−４が出来る様に縫い合わせ、縫い合わされて無い一辺から顆粒備長炭を投入後、投入口を縫い合わせ閉じ、顆粒備長炭が詰まった部屋４−１、４−２，４−３，４−４が作られている。５は、ハニカム構造シートである。このハニカム構造シートで顆粒備長炭入りシート１の上下を挟み、周囲を縫い合わせる等して３枚のシートを固定し１枚のシートにする。【０００８】  本考案の一実施例は、上述の如き構成からなるものであるから、ハニカム構造シートと顆粒備長炭入りシートは一体となり、顆粒備長炭入りシートを布設したシートクッションとなる。
【図面の簡単な説明】
【０００９】
【図１】本考案の顆粒備長炭入りシートを布設したシートクッションの実施例の内部構造の透視斜視図
【図２】本考案の顆粒備長炭投入用シートの実施例の斜視図
【図３】本考案の顆粒備長炭入りシートの実施例の斜視図
【図４】本考案のハニカム構造シートの斜視図
【符号の説明】
【００１０】１  顆粒備長炭入りシート
２−１、２−２  布
３−１、３−２、３−３、３−４  顆粒備長炭を投入する袋状の部屋
４−１、４−２，４−３，４−４  顆粒備長炭が詰まった袋状の部屋
５  ハニカム構造シート
【図１】
0003183153.tif 000003
【図２】
0003183153.tif 000004
【図３】
0003183153.tif 000005
【図４】
0003183153.tif 000006
(57)【要約】      （修正有）【課題】日常的な衣服において、軽く柔らかい感触でかつ防水、防寒、保温性、及び浮力を有し、有事には救命胴衣としての機能をもたらす防災ウェアを提供する。【解決手段】防災ウェア本体１は、ジャケット状であって、防災ウェア本体１の全体に気泡緩衝材を充填して縫製したキルティング状であって、左右の袖ぐり周縁部にファスナー３を備え、これを介して、着脱自在に袖を取り付けして成したことを特徴とした。【選択図】図１
0003183159.tif 000002
【実用新案登録請求の範囲】
【請求項１】
防災ウェア本体は、ジャケット状であって、該防災ウェア本体の全体に気泡緩衝材を充填して縫製したキルティング状であって、左右の袖ぐり周縁部にファスナーを備え、これを介して、着脱自在に袖を取り付けして成したことを特徴とする防災ウェア。
【考案の詳細な説明】
【技術分野】
【０００１】  本考案は、防災用品に関する。
【背景技術】
【０００２】  従来より、水による溺死を防止する目的で救命胴衣が広く用いられている。救命胴衣はライフジャケット、ライフベストとも呼ばれ、主にプールや河川、湖沼、海で用いられているが、海上を飛行する飛行機にも装備されている。【０００３】  救命胴衣は、海難・水難事故における非常脱出用の装備に含まれ、主な目的を救命としていることから、日常的な衣服として着用できる構造を有する従来品は皆無であった。
【考案の概要】
【考案が解決しようとする課題】
【０００４】本考案は、日常的な衣服において、軽く柔らかい感触でかつ防水、防寒、保温性、及び浮力を有し、有事には救命胴衣としての機能をもたらす防災ウエアを提供しようとするものである。
【課題を解決するための手段】
【０００５】  防災ウェア本体１は、ジャケット状であって、該防災ウェア本体１の全体に気泡緩衝材２を充填して縫製したキルティング状であって、左右の袖ぐり周縁部にファスナー３を備え、これを介して、着脱自在に袖を取り付けして成したことを特徴とした。
【考案の効果】
【０００６】  本考案によれば、防災ウェア本体は、以上説明した構成を備えていることによって、日常的な衣服と同じく、軽く柔らかい感触でかつ防水、防寒、保温性、及び浮力を有し、海難・水難事故等の有事に遭遇したときは救命胴衣と同じ作用をもたらし、人身救済や人命救助に役立つものとなっている。【０００７】  左右の袖ぐり周縁部にファスナーを備えて、袖を着脱自在としたことから、ベスト状で着用することも可能である。
【図面の簡単な説明】
【０００８】
【図１】  本考案に於ける防災ウェアの正面図である。
【図２】  本考案に於ける防災ウェアの一部を分離した分解図である。
【図３】  本考案に於ける防災ウェアのキルティング状を表した説明図である。
【図４】  本考案に於ける防災ウェアの生地の積層構造を説明する分解図である。
【考案を実施するための形態】
【０００９】  以下、本考案の実施の形態について、図面を参照して説明する。
図１・図２・図３・図４に示すように、防災ウェア本体１は、ジャケット状であって、該防災ウェア本体１の全体に気泡緩衝材２を充填して縫製したキルティング状であって、左右の袖ぐり周縁部にファスナー３を備え、これを介して、着脱自在に袖を取り付けして成したことを特徴とした。
【符号の説明】
【００１０】  １    防災ウェア本体
２    気泡緩衝材
３    ファスナー
４    表地
５    裏地
【図１】
0003183159.tif 000003
【図２】
0003183159.tif 000004
【図３】
0003183159.tif 000005
【図４】
0003183159.tif 000006
(57)【要約】      （修正有）【課題】一般住宅及び工事現場事務所で多く使用されているアルミサッシによるレールを通す溝のある引戸の上枠に着脱自在に係止する工事現場引戸用鍵箱を提供する。【解決手段】一般住宅（リフォーム現場等）及び工事現場事務所のアルミサッシによる引戸ＨＤであり、まずこの引戸ＨＤを鍵Ｋを入れた外側に取り外し、上枠ＵＷに鍵Ｋを入れた工事現場引戸用鍵箱の係止部を引っ掛けて取り付ける。その後、引戸ＨＤを再度レールＲに差し込み取り付ける。この状態で、番号式鍵４の番号を知っている関係者のみが使用できるもので、番号式鍵４のダイヤルを回して固定板５ｂを引くことにより切欠部から固定片５ａが外れ、蓋３を引き上げ、鍵収納部２ｂ内の鍵Ｋを出して使用する。返却時においては、蓋３を引き上げて、鍵収納部２ｂ内に鍵Ｋを入れ固定板５ｂを押して上記切欠部を固定片５ａの前面より移動させて固定し、ダイヤルを回す。【選択図】図３
0003183158.tif 000002
【実用新案登録請求の範囲】
【請求項１】
鍵を出し入れ自在に構成した鍵箱本体に、蓋を閉じるための固定具と連動する番号式鍵を設けると共に、レールを通す溝のある引戸の上枠に着脱自在に取り付けるべく係止部を設け、この係止部の内寸が２ｍｍ〜２０ｍｍとすることを特徴とする工事現場引戸用鍵箱。
【請求項２】
固定具が、蓋の裏面に設けた固定片と番号式鍵の一端に設けた固定板とから構成されることを特徴とする請求項１記載の工事現場引戸用鍵箱。
【考案の詳細な説明】
【技術分野】
【０００１】  本考案は、主に改装するマンション等の工事現場において各種改装工事業者に対して、現場事務所の鍵を共有するための工事現場引戸用鍵箱に関するものである。
【背景技術】
【０００２】  従来の技術としては、開閉されたドアの上端部に吊り下げフック状態で係止する係止片と該係止片からドア外側面に垂下して延出する延出片とを有する取付部財と、前記ドア外側面に吸着する吸盤と、該吸盤と接続され前記延出片を略直角に貫通する保持杆と、保持杆の先端側に設けられたケースと、ケース内に設けられた保持杆の先端部と螺合する締め付けナットと、前記ケースを密閉する扉と、扉をケースに施錠する錠装置と、を有するケース本体と、を備えたことを特徴とする鍵保管箱がある。（特許文献１参照）【０００３】  従来の技術としては、鍵保管庫に固定クリップ軸を連結し双方を一体と成し、把持部により固定すると共に、鍵保管庫内部に鍵保管庫自体の着脱を可能としたクリップつまみ部後端にたがいに噛合うテーパー桿とテーパー溝を設けたロック機能又は取付け穴を有し、扉に数字合わせ錠を付けるようにして成る鍵保管庫がある。（特許文献２参照）
【先行技術文献】
【特許文献】
【０００４】
【特許文献１】  特開平１０−３２５２６９号公報
【特許文献２】  特開２０００−２６５７１６号公報
【考案の概要】
【考案が解決しようとする課題】
【０００５】  上記前者においては、図４及び図５にあるようにドア（開き戸）の上部に取り付けるものであり、本考案のようにレールを通す溝のある引戸の上枠に取り付けられるものではない。【０００６】  また、上記後者においても、鉄管に対してクリップにて取り付けるもので、これもまた、本考案とは、機能性の異なるものである。【０００７】  本考案は、一般住宅及び工事現場事務所で多く使用されているアルミサッシによるレールを通す溝のある引戸の上枠に着脱自在に係止する工事現場引戸用鍵箱を提供することを目的とする。
【課題を解決するための手段】
【０００８】本考案は、上記問題点を解決する手段として、鍵を出し入れ自在に構成した鍵箱本体に、蓋を閉じるための固定具と連動する番号式鍵を設けると共に、レールを通す溝のある引戸の上枠に着脱自在に取り付けるべく係止部を設け、この係止部の内寸が２ｍｍ〜２０ｍｍとすること。固定具が、蓋の裏面に設けた固定片と番号式鍵の一端に設けた固定板とから構成されること。
【考案の効果】
【０００９】  エールを通す溝のあるアルミサッシによる引戸の上枠に工事現場引戸用鍵箱の係止部（ない寸が２ｍｍ〜２０ｍｍ）を着脱自在に取り付けることができ、一般住宅および工事現場事務所の引戸に使用でき、出入り業者が簡便に鍵を使用し、仕事ができるものである。
【図面の簡単な説明】
【００１０】
【図１】  本考案の一実施例を示す工事現場引戸用鍵箱の蓋を開いた左側面図。
【図２】  本考案の一実施例を示す工事現場引戸用鍵箱の開錠した状態の正面図。
【図３】  本考案の一実施例を示す工事現場引戸用鍵箱の取付状態図。
【考案の実施するための形態】
【００１１】  １は、工事現場引戸用鍵箱である。
２は、鍵Ｋを出し入れ自在に構成した鍵箱本体で、背面に背板２ａを設けると共に、内部をかぎ収納部２ｂと固定板収納部２ｃに分けてある。
３は、鍵箱本体２の前面に設けてなる蓋で、上部のピン３ａ・３ａにて開閉自在に設けてある。
４は、番号を回転させて使用する番号式鍵で、鍵収納部２ｂ下方に支持板４ｂにて取り付けてある。
５は、蓋３の裏面に設けたＬ形の固定片５ａと、番号式鍵４の一端に設け、切欠部５ｂ１を設けた固定板５ｂとからなる固定具である。
６は、レールを通す溝のある引戸の上枠に、着脱自在に取り付ける係止部で、背板２ａの上部裏面両側に設けると共に、内寸ＮＳ２ｍｍ〜２０ｍｍとする。
【００１２】  工事現場引戸用鍵箱１の使用例について説明する。
一般住宅（リフォーム現場等）及び工事現場事務所のアルミサッシによる引戸ＨＤであり、まずこの引戸ＨＤを鍵Ｋを入れた外側に取り外し、上枠ＵＷに鍵Ｋを入れた工事現場引戸用鍵箱１の係止部６を引っ掛けて取り付ける。
その後、引戸ＨＤを再度レールＲに差し込み取り付ける。（引戸ＨＤが施錠してあれば取付枠ＴＷにより工事現場引戸用鍵箱１が盗まれることはない。）
この状態で、番号式鍵４の番号を知っている関係者（各施工事業者）のみが使用できるもので、番号式鍵４のダイヤルを回して固定板５ｂを引くことにより切欠部５ｂ１から固定片５ａが外れ、蓋３を引き上げ、鍵収納部２ｂ内の鍵Ｋを出して使用する。
返却時においては、蓋３を引き上げて、鍵収納部２ｂ内に鍵Ｋを入れ固定板５ｂを押して切欠部５ｂ１を固定片５ａの前面より移動させて固定するし、ダイヤルを回す。
【００１３】  上記実施例において、取付可能な引戸は上枠の厚みが２ｍｍ〜２０ｍｍであれば取付可能である。
また、材質としては、スチィール製等、特に限定するものでもなく、また、大きさも必要に応じて決めればよい。
【符号の説明】
【００１４】  １−−−工事現場引戸用鍵箱
２−−−鍵箱本体
３−−−蓋
４−−−番号式鍵
５−−−固定具
６−−−係止部
ＨＤ−−引戸
Ｋ−−−鍵
【図１】
0003183158.tif 000003
【図２】
0003183158.tif 000004
【図３】
0003183158.tif 000005
(57)【要約】      （修正有）【課題】リブ付ラス形状金網と横材を一体成型されたコンクリート埋設型枠を提供する。【解決手段】リブ付ラス形状金網２は横材３とで一体成型されたことによって、リブ付ラス形状金網の強度が補強されているため、コンクリート打設後に埋設型枠の桟木の解体、搬出する必要がなく工期、工費、輸送費用の削減が出来る。【選択図】図１
0003183156.tif 000002
【実用新案登録請求の範囲】
【請求項１】
リブ付ラス形状金網と直交する方向数箇所に横材を固着して配置し、かつその横材は接続機能を設けてなるコンクリート埋設型枠。
【請求項２】
リブ付ラス形状金網２と直交する方向数箇所に配置する横材が接続金具によって接続できる請求項１記載のコンクリート埋設型枠。
【請求項３】
リブ付ラス形状金網２と直交する方向数箇所に配置する横材が天井下地材である請求項１記載のコンクリート埋設型枠。
【考案の詳細な説明】
【技術分野】
【０００１】リブ付ラス形状金網を横材と一体成型したコンクリート埋設型枠で基礎、フーチング、地中梁、擁壁、連壁等、土中のコンクリート構造物に用いる。
【背景技術】
【０００２】従来から、ラス金網の型枠が用いられている。
【先行技術文献】
【０００３】
【特許文献】
【特許文献】特許公開２００２−３０９６９９  特許公開２００９−９１８５４
【非特許文献】
【０００４】
【非特許文献１】
【考案の概要】
【考案が解決しようとする課題】
【０００５】従来のラス金網の埋没型枠では、コンクリートの側圧に耐えるように、支持パイプを仮止め補強していた。そのためコンクリート打設後に解体、搬出する必要があり、工期、工費等が、かかるとともに資材運送量が多くなる問題点があった。
【課題を解決するための手段】
【０００６】上記目的を達成するため、本考案コンクリート埋設型枠は、リブ付ラス形状金網と直交する方向数箇所に、接続機能を設けてなる横材を配置し固着して一体成型した。
【考案の効果】
【０００７】本考案によれば、リブ付ラス形状金網と直交する方向数箇所に横材を固着して一体成型したものであるから、型枠作業を著しく向上することができ、支持パイプを解除する必要がない。特にリブ付ラス形状金網に固着した横材は、容易に接続できる形状であるから、工期短縮として優れた資材とすることができる。
【図面の簡単な説明】
【０００８】
【図１】図１は本考案コンクリート埋設型枠の正面図。
【図２】図２は図１のＡ−Ａ矢印線横断面図である。
【図３】図３は図１のＢ−Ｂ矢印横断面図である。
【図４】図４接続金具の取付け図
【図５】図５天井下地材接続金具の斜視図
【考案を実施するための形態】
【０００９】図示のようにコンクリート埋設型枠１は、リブ付ラス形状金網２と直交する方向数箇工が施されおり、かつ接続金具で接続できる形状とする。
また、横材３に接続が簡単で安価な天井下地材を使用も可能ある。
【実施例】
【００１０】図１は本考案コンクリート埋設型枠の正面図。
図２、３は図１の断面図である。
例えば厚さ０．３〜２．０ｍｍ、リブ高さ８〜２０ｍｍ、リブとリブ間に網目１０〜２０ｍｍのリブ付ラス形状金網２に横材３が一体成型された板幅約６００ｍｍのものを隣接するリブ付ラス形状金網２のリブ端部４で相互に重ね合わせ、横材３に接続金具５を介して数枚横並びに接続する。【００１１】図４、は接続金具５に横材３の取付状態を示す。
図５、で天井下地材の斜視図の１例を示す。
【産業上の利用可能性】
【００１２】本考案コンクリート埋設型枠１はリブ付ラス形状金網２と直交する方向数箇所に横材３を配置し、その横材は着脱出来る形状であるため、埋設型枠の接続が容易で、簡単に施工ができ工期、工費を削減できる。
【符号の説明】
【００１３】１  コンクリート捨て型枠
２  リブ付金属メシュ網
３  横材
４  リブ端部
５  接続金具
【図１】
0003183156.tif 000003
【図２】
0003183156.tif 000004
【図３】
0003183156.tif 000005
【図４】
0003183156.tif 000006
【図５】
0003183156.tif 000007
(57)【要約】      （修正有）【課題】食器の底がＩＨクッキングヒーター載せた時発熱するように底に金属を仕込み、食器で、中に入れた食物や飲み物を調理したり、柔らかにできる食器を提供する。【解決手段】食器を作る場合、底にＩＨクッキングヒーターの上に載せた場合発熱する金属を仕込んでおく。すなわち、食器皿に適する素材にて成形された食器本体１において、ＩＨクッキングヒーターに載せた時発熱するように底に金属２を組み込んだものである。【選択図】図１
0003183585.tif 000002
【実用新案登録請求の範囲】
【請求項１】
食器に入れた物に熱を供給できるようにＩＨクッキングヒーターに載せた時発熱する金属を食器の底部に組み込んだ部分を設けることを特徴とするＩＨクッキングヒーター用食器
【考案の詳細な説明】
【技術分野】
【０００１】  本考案は、食器の底がＩＨクッキングヒーターに載せた時発熱するように底に金属を仕込み、食器で、中に入れた食物や飲み物を調理したり、柔らかにできる食器に関するものである。
【背景技術】
【０００２】  従来、電気を使って食器の中のものに、簡単に熱を供給する方法として電子レンジが使われてきた
【考案の概要】
【考案が解決しようとする課題】
【０００３】  電子レンジは、直接目で見ながら調理できないので、過度に熱を供給しすぎたり、逆に不足してやり直すというような欠点を解決しようとするためのものである
【課題を解決するための手段】
【０００４】  食器を作る場合、底にＩＨクッキングヒーターの上に載せた場合発熱する金属を仕込んでおく。
【考案の効果】
【０００５】  目で見ながら適度に熱を供給し好みの調理具合や温め具合にすることができる。
【考案を実施するための形態】
【図面の簡単な説明】
【０００６】
【図１】食器用の皿の底面に金属を仕込んだ図
【図２】とっくりの底に金属を仕込んだ図
【図３】ハチミツの容器（食器）の底に金属を仕込んだ図
【考案を実施するための形態】
【０００７】  食器を作る段階から底に金属を埋めこんでおいたり、成形した後底に強力な接着剤で金属を貼りつけたりする。
【実施例】
【０００８】  以下、添付図に従って一実施例を説明する。１は食器皿に適する素材にて成形された食器本体、２はＩＨクッキングヒーターに載せた時発熱するように底に金属を組み込んだもの。
【符号の説明】
【０００９】１  食器用皿本体
２  底部に組み込まれた金属
３  とっくり本体
４  底部に組み込まれた金属
５  ハチミツ容器
６  底部に組み込まれた金属
【図１】
0003183585.tif 000003
【図２】
0003183585.tif 000004
【図３】
0003183585.tif 000005
(57)【要約】      （修正有）【課題】住宅、建築物、サイロ等の内容物、防音、断熱、保温、定温を促進する多層構造シートを提供する。【解決手段】ポリエステル繊維、アルミ蒸着ＰＥＴ、ポリエステル繊維綿、不織布、ポリプロピレン繊維、高分子ポリマー繊維等を適宜組み合わせ超音波溶着、高周波溶着、工業用キルティングにてシート状の形状にし、外形物に応じて幾何模様に加工した多層構造シートである。【選択図】図１
0003183584.tif 000002
【実用新案登録請求の範囲】
【請求項１】
表面のポリエステル繊維、アルミ両面蒸着ＰＥＴ、ポリエステル繊維綿、不織布、ポリプロピレン繊維、高分子ポリマー繊維等を適宜組み合わせ超音波溶着、高周波溶着、工業用キルティングにて幾何模様に加工した多層構造シートである。
【請求項２】
請求項１記載のシートに粘弾性体真空防音層を加えたものである。
【考案の詳細な説明】
【技術分野】
【０００１】住宅壁面床面屋根裏、バッグ、サイロカバー等の内面、内容物の温度管理、品質管理に関するものである。
【背景技術】
【０００２】冬季の保温、夏季の断熱、左記以外の期間での定温を促進するものである。積極的に効果を発するものは存在していなかった。
【先行技術文献】
【特許文献】
【０００３】
【特許文献１】
【特許文献２】
【非特許文献】
【０００４】
【非特許文献１】
【非特許文献２】
【考案の概要】
表面のポリエステル繊維、アルミ両面蒸着ＰＥＴ、ポリエステル繊維綿、不織布、ポリプロピレン繊維、高分子ポリマー繊維等を適宜組み合わせ超音波溶着、高周波溶着、工業用キルティングにて幾何模様に加工する。
【考案が解決しようとする課題】
【０００５】住宅壁面床面屋根裏、バッグ、サイロカバー等の内面、内容物の温度管理、品質管理、結露防止、防音紫外線防止である。
【課題を解決するための手段】
【０００６】考案の概要で加工されたものをシート、袋状、シート状等外形に応じた形状に加工したものを貼り付ける。
【考案の効果】
【０００７】冬季の保温、夏季の断熱、左記以外の期間での定温を促進、防音するものである。
【図面の簡単な説明】
【０００８】
【図１】  Ａ−１、Ａ−２断面詳細図である。
【考案を実施するための形態】
【０００９】本考案はシート状の形状であるため、外形物に応じた形状で加工し貼り付ける。
【実施例】
【００１０】住宅床面裏に貼り付け、壁面内部に貼り付けて使用、定温低温輸送車、サイロ表面カバー等内容物の管理、品質管理、衣料等応用範囲は多岐である。
【図１】
0003183584.tif 000003